(57)【要約】【課題】所望のプロジェクターを容易に探し出すことが可能なプロジェクターの管理装置、管理システム、管理方法、及びプログラムを提供する。【解決手段】管理装置は、登録したプロジェクターに対して、それぞれのＧＰＳ受信部で導出した位置情報（緯度及び経度）の送信を要求する。登録された各プロジェクターは、この要求に応じ、自己の位置情報を管理装置に送信する。管理装置は、プロジェクターから受信した位置情報を、それぞれの機器情報に対応付けて登録する。そして、受信した位置情報に基づいて、操作画面Ｗ１の地図表示部Ｂ３の地図Ｍ上にプロジェクターの設置位置を表示する。具体的には、管理装置は、地図表示部Ｂ３の地図Ｍ上において、位置情報に基づく位置に、プロジェクターの設置位置であることを示すマークＰを重畳して表示させる。【選択図】図６
2012015832.tif 000002
【特許請求の範囲】
【請求項１】
画像を投写するプロジェクターにネットワークを介して接続されたプロジェクターの管理装置であって、
前記プロジェクターが設置されている設置位置に応じた位置情報を、前記プロジェクターから受信する通信装置と、
地図を表示する表示装置と、
前記プロジェクターから受信した前記位置情報に基づいて、前記プロジェクターの設置位置を前記地図上に表示させる制御装置と、
を備えたことを特徴とするプロジェクターの管理装置。
【請求項２】
請求項１に記載のプロジェクターの管理装置であって、
前記制御装置は、前記ネットワークに前記プロジェクターが複数接続されている場合に、前記プロジェクターを前記位置情報に基づいてグループ分けするとともに、前記プロジェクターの設置位置を、前記地図上にグループ単位で表示することを特徴とするプロジェクターの管理装置。
【請求項３】
請求項１又は２に記載のプロジェクターの管理装置であって、
前記地図上に示された前記設置位置を指定するための指定手段をさらに備えていることを特徴とするプロジェクターの管理装置。
【請求項４】
請求項３に記載のプロジェクターの管理装置であって、
前記指定手段は、当該指定手段で指定された前記設置位置に設置されているプロジェクターのうち、少なくとも１つのプロジェクターを指定可能であることを特徴とするプロジェクターの管理装置。
【請求項５】
請求項３又は４に記載のプロジェクターの管理装置であって、
前記制御装置は、前記指定手段で指定された前記設置位置に設置されているプロジェクターのリストを前記表示装置に表示させることを特徴とするプロジェクターの管理装置。
【請求項６】
請求項３〜５のいずれか一項に記載のプロジェクターの管理装置であって、
前記制御装置は、前記指定手段で指定された前記設置位置に設置されているプロジェクターの動作状態を前記表示装置に表示させることを特徴とするプロジェクターの管理装置。
【請求項７】
請求項３〜６のいずれか一項に記載のプロジェクターの管理装置であって、
前記制御装置は、前記指定手段で指定された前記設置位置に設置されているプロジェクターに画像情報を供給し、前記画像情報に基づく画像を投写させることを特徴とするプロジェクターの管理装置。
【請求項８】
請求項１〜７のいずれか一項に記載のプロジェクターの管理装置と、
前記管理装置とネットワークを介して接続される前記プロジェクターと、
を有することを特徴とするプロジェクターの管理システム。
【請求項９】
請求項８に記載のプロジェクターの管理システムであって、
前記プロジェクターは、前記設置位置が変更になったことを検出する移動検出部をさらに備え、前記移動検出部が前記設置位置の変更を検出した場合には、新たな設置位置に応じた位置情報を前記管理装置に送信し、
前記管理装置は、前記位置情報に基づいて、前記地図上に示された前記設置位置を更新することを特徴とするプロジェクターの管理システム。
【請求項１０】
請求項８又は９に記載のプロジェクターの管理システムであって、
前記プロジェクターは、ＧＰＳ衛星から送信される電波を受信して自己の位置を導出するＧＰＳ受信部を備え、前記ＧＰＳ受信部が導出した前記位置に対応する前記位置情報を、前記管理装置に送信することを特徴とするプロジェクターの管理システム。
【請求項１１】
画像を投写するプロジェクターを、前記プロジェクターにネットワークを介して接続された管理装置で管理するプロジェクターの管理方法であって、
前記プロジェクターが設置されている設置位置に応じた位置情報を、前記プロジェクターから前記管理装置に送信させる位置情報送信ステップと、
前記管理装置が、前記プロジェクターから受信した前記位置情報に基づいて、前記プロジェクターの設置位置を地図上に表示させる位置表示ステップと、
を備えたことを特徴とするプロジェクターの管理方法。
【請求項１２】
画像を投写するプロジェクターにネットワークを介して接続されたコンピューターに、
前記プロジェクターが設置されている設置位置に応じた位置情報を、前記プロジェクターから送信させる位置情報送信ステップと、
前記プロジェクターから受信した前記位置情報に基づいて、前記プロジェクターの設置位置を地図上に表示させる位置表示ステップと、
を実行させるプログラム。
【発明の詳細な説明】
【技術分野】
【０００１】
本発明は、プロジェクターの管理装置、管理システム、管理方法、及びプログラムに関する。
【背景技術】
【０００２】
コンピューターとともに複数のプロジェクターをネットワークに接続し、コンピューターで複数のプロジェクターの動作状態を管理したり、コンピューターからプロジェクターにネットワークを介して画像情報を供給したりすることが可能なシステムが種々提案されている（例えば、特許文献１参照）。このようなシステムを用いれば、複数のプロジェクターを１つのコンピューターで一元的に管理できるようになったり、所望の画像を所望のプロジェクターから投写させたりすることが可能となるため、利便性が向上する。
【先行技術文献】
【特許文献】
【０００３】
【特許文献１】特開２００３−１９８９９４号公報
【発明の概要】
【発明が解決しようとする課題】
【０００４】
しかしながら、ネットワークを介して接続されている複数のプロジェクターが、広い範囲（例えば、日本全国）に亘って配置されている場合には、特定のプロジェクターの動作状態を知りたい場合や、特定のプロジェクターに画像情報を供給したい場合等に、対象となるプロジェクターを探し出すことが困難であった。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターの管理装置は、画像を投写するプロジェクターにネットワークを介して接続されたプロジェクターの管理装置であって、前記プロジェクターが設置されている設置位置に応じた位置情報を、前記プロジェクターから受信する通信装置と、地図を表示する表示装置と、前記プロジェクターから受信した前記位置情報に基づいて、前記プロジェクターの設置位置を前記地図上に表示させる制御装置と、を備えたことを特徴とする。
【０００７】
このプロジェクターの管理装置によれば、プロジェクターの設置位置を地図上に表示させるため、プロジェクターの設置位置が視覚的に把握しやすくなり、所望のプロジェクターを探し出すことが容易になる。
【０００８】
［適用例２］上記適用例に係るプロジェクターの管理装置において、前記制御装置は、前記ネットワークに前記プロジェクターが複数接続されている場合に、前記プロジェクターを前記位置情報に基づいてグループ分けするとともに、前記プロジェクターの設置位置を、前記地図上にグループ単位で表示することが望ましい。
【０００９】
このプロジェクターの管理装置によれば、複数のプロジェクターを位置情報に基づいてグループ分けするとともに、プロジェクターの設置位置を地図上にグループ単位で表示する。このため、地図上の狭い範囲内に多数のプロジェクターの設置位置が表示されてしまうことが抑制され、所望のプロジェクターを探し出すことが一層容易になる。
【００１０】
［適用例３］上記適用例に係るプロジェクターの管理装置において、前記地図上に示された前記設置位置を指定するための指定手段をさらに備えていることが望ましい。
【００１１】
［適用例４］上記適用例に係るプロジェクターの管理装置において、前記指定手段は、当該指定手段で指定された前記設置位置に設置されているプロジェクターのうち、少なくとも１つのプロジェクターを指定可能であることが望ましい。
【００１２】
［適用例５］上記適用例に係るプロジェクターの管理装置において、前記制御装置は、前記指定手段で指定された前記設置位置に設置されているプロジェクターのリストを前記表示装置に表示させることが望ましい。
【００１３】
［適用例６］上記適用例に係るプロジェクターの管理装置において、前記制御装置は、前記指定手段で指定された前記設置位置に設置されているプロジェクターの動作状態を前記表示装置に表示させるようにしてもよい。
【００１４】
［適用例７］上記適用例に係るプロジェクターの管理装置において、前記制御装置は、前記指定手段で指定された前記設置位置に設置されているプロジェクターに画像情報を供給し、前記画像情報に基づく画像を投写させるようにしてもよい。
【００１５】
［適用例８］本適用例に係るプロジェクターの管理システムは、上記適用例に記載のプロジェクターの管理装置と、前記管理装置とネットワークを介して接続される前記プロジェクターと、を有することを特徴とする。
【００１６】
このプロジェクターの管理システムによれば、管理装置がプロジェクターの設置位置を地図上に表示させるため、プロジェクターの設置位置が視覚的に把握しやすくなり、所望のプロジェクターを探し出すことが容易になる。
【００１７】
［適用例９］上記適用例に係るプロジェクターの管理システムにおいて、前記プロジェクターは、前記設置位置が変更になったことを検出する移動検出部をさらに備え、前記移動検出部が前記設置位置の変更を検出した場合には、新たな設置位置に応じた位置情報を前記管理装置に送信し、前記管理装置は、前記位置情報に基づいて、前記地図上に示された前記設置位置を更新することが望ましい。
【００１８】
このプロジェクターの管理システムによれば、設置位置が変更になったことを検出する移動検出部をプロジェクターが備えており、設置位置の変更が検出された場合に、地図上に示された設置位置が更新されるため、設置位置の変更に伴う地図の更新が容易になる。
【００１９】
［適用例１０］上記適用例に係るプロジェクターの管理システムにおいて、前記プロジェクターは、ＧＰＳ衛星から送信される電波を受信して自己の位置を導出するＧＰＳ受信部を備え、前記ＧＰＳ受信部が導出した前記位置に対応する前記位置情報を、前記管理装置に送信することが望ましい。
【００２０】
このプロジェクターの管理システムによれば、プロジェクターは、ＧＰＳ衛星から送信される電波を受信して自己の位置を導出するＧＰＳ受信部を備えているため、自己の設置位置の特定を容易に行うことが可能となる。
【００２１】
［適用例１１］本適用例に係るプロジェクターの管理方法は、画像を投写するプロジェクターを、前記プロジェクターにネットワークを介して接続された管理装置で管理するプロジェクターの管理方法であって、前記プロジェクターが設置されている設置位置に応じた位置情報を、前記プロジェクターから前記管理装置に送信させる位置情報送信ステップと、前記管理装置が、前記プロジェクターから受信した前記位置情報に基づいて、前記プロジェクターの設置位置を地図上に表示させる位置表示ステップと、を備えたことを特徴とする。
【００２２】
このプロジェクターの管理方法によれば、プロジェクターの設置位置が地図上に表示されるため、プロジェクターの設置位置が視覚的に把握しやすくなり、所望のプロジェクターを探し出すことが容易になる。
【００２３】
［適用例１２］本適用例に係るプログラムは、画像を投写するプロジェクターにネットワークを介して接続されたコンピューターに、前記プロジェクターが設置されている設置位置に応じた位置情報を、前記プロジェクターから送信させる位置情報送信ステップと、前記プロジェクターから受信した前記位置情報に基づいて、前記プロジェクターの設置位置を地図上に表示させる位置表示ステップと、を実行させる。
【００２４】
このプログラムによれば、プロジェクターの設置位置が地図上に表示されるため、プロジェクターの設置位置が視覚的に把握しやすくなり、所望のプロジェクターを探し出すことが容易になる。
【図面の簡単な説明】
【００２５】
【図１】プロジェクターの管理システムの概略構成を示す構成図。
【図２】プロジェクターの内部構成を示すブロック図。
【図３】管理装置の概略構成を示すブロック図。
【図４】管理プログラムに基づく管理装置の動作を説明するための説明図であり、管理プログラムが起動した際に表示装置に表示される操作画面を示す図。
【図５】プロジェクターを自動登録する際の管理装置の動作を説明するフローチャート。
【図６】管理プログラムに基づく管理装置の動作を説明するための説明図であり、地図上にマークが表示された状態の操作画面を示す図。
【図７】管理プログラムに基づく管理装置の動作を説明するための説明図であり、地図上に複数のマークが表示された状態の操作画面を示す図。
【図８】管理プログラムに基づく管理装置の動作を説明するための説明図であり、地図上のマークが指定された状態の操作画面を示す図。
【図９】管理プログラムに基づく管理装置の動作を説明するための説明図であり、操作画面上に重畳表示される状態表示画面を示す図。
【発明を実施するための形態】
【００２６】
以下、本実施形態に係るプロジェクターの管理システムについて、図面を参照して説明する。
図１は、プロジェクターの管理システムの概略構成を示す構成図である。
図１に示すように、管理システム１００は、複数のＬＡＮ（Local Area Network）３ａ〜３ｆが、インターネット等の公衆ネットワーク３ｐを利用したＶＰＮ（Virtual Private Network）によって接続されたネットワーク構成を備えている。各ＬＡＮ３ａ〜３ｆは、地理的に離れた複数の拠点Ａ〜Ｆにそれぞれ構築されたネットワークであり、各ＬＡＮ３ａ〜３ｆには、１つ或いは複数のプロジェクター１が接続されている。また、拠点ＡのＬＡＮ３ａには、各拠点Ａ〜Ｆの複数のプロジェクター１を管理するための管理装置２が接続されている。つまり、管理システム１００は、複数のプロジェクター１と、これら複数のプロジェクター１にネットワークを介して接続された管理装置２とを備えて構成されている。なお、本実施形態では、各拠点Ａ〜Ｆに構築されているＬＡＮ３ａ〜３ｆは、それぞれ１つのセグメント（ネットワークセグメント）で構成されているものとする。また、ＬＡＮ３ａ〜３ｆ及び公衆ネットワーク３ｐを総称して、単に「ネットワーク３」とも表記する。
【００２７】
プロジェクター１は、管理装置２や図示しない他の画像供給装置から入力される画像情報に基づく画像を、スクリーン等に投写して表示する光学機器である。また、管理装置２は、コンピューター等によって構成され、各プロジェクター１の動作状態を収集したり、プロジェクター１に対して画像情報の供給を行ったりすることができる。
【００２８】
図２は、プロジェクター１の内部構成を示すブロック図である。
図２に示すように、プロジェクター１は、制御部１０、記憶部１１、入力操作部１２、通信部１３、画像入力部１４、画像処理部１５、画像投写部１６、ＧＰＳ受信部１７等を備えている。
【００２９】
制御部１０は、ＣＰＵ（Central Processing Unit）や、各種データ等の一時記憶に用いられるＲＡＭ（Random Access Memory）等を備え、記憶部１１に記憶されている制御プログラムに従って動作することによりプロジェクター１の動作を統括制御する。
【００３０】
記憶部１１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部１１には、プロジェクター１の動作を制御するための制御プログラムや、プロジェクター１の動作条件等を規定する各種設定データ等が記憶されている。
【００３１】
入力操作部１２は、ユーザーがプロジェクター１に対して各種指示を行うための複数の操作キーを備えている。入力操作部１２が備える操作キーとしては、電源のオン・オフを切り替えるための「電源キー」、各種設定を行うための設定メニューを表示させる「メニューキー」等がある。ユーザーが入力操作部１２の各種操作キーを操作すると、入力操作部１２は、ユーザーの操作内容に応じた操作信号を制御部１０に出力する。なお、入力操作部１２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部１０に伝達する。
【００３２】
通信部１３は、ネットワーク３を介したデータ通信を行うものであり、制御部１０は、通信部１３を介して、ネットワーク３に接続された外部のネットワーク機器とデータの授受を行うことができる。また、本実施形態の通信部１３は、ネットワーク３に接続された管理装置２から画像情報を受け取ることが可能になっており、通信部１３に画像情報が入力されると、通信部１３は、入力された画像情報を画像処理部１５に出力する。
【００３３】
画像入力部１４には、図示しない外部の画像供給装置が接続され、画像供給装置から画像情報が入力される。画像入力部１４は、入力された画像情報を画像処理部１５に出力する。
【００３４】
画像処理部１５は、画像入力部１４、或いは通信部１３から入力される画像情報に対して、各種画像処理を施し、処理後の画像情報を画像投写部１６に出力する。また、画像処理部１５は、メッセージや設定メニュー等のＯＳＤ（オンスクリーンディスプレイ）画像を重畳する処理等を行うことができる。
【００３５】
画像投写部１６は、光源、光変調装置、投写レンズ（いずれも図示せず）等を備え、光源から射出された光を画像情報に応じて光変調装置で変調し、この変調光を投写レンズによって外部に投写する。この結果、スクリーン等に投写画像が表示される。
【００３６】
ＧＰＳ受信部１７は、ＧＰＳ（Global Positioning System）衛星から送信される電波を受信して、自己の位置、即ちプロジェクター１が設置されている位置の緯度及び経度を導出する。ＧＰＳ受信部１７は、導出した緯度及び経度を、位置情報として制御部１０に出力する。
【００３７】
図３は、管理装置２の概略構成を示すブロック図である。
図３に示すように、管理装置２は、ＣＰＵやＲＡＭ等からなる制御装置２０、ハードディスクドライブやフラッシュメモリー等の記憶装置２１、液晶ディスプレイ等の表示装置２２、キーボード等の入力装置２３、マウスやタッチパッド等の指示装置（ポインティングデバイス）２４、ネットワーク３を介した通信を行う通信装置２５を備えている。管理装置２としては、例えば、パーソナルコンピューターを用いることができる。ここで、ノート型のパーソナルコンピューターを用いる場合には、管理装置２は、制御装置２０、記憶装置２１、表示装置２２、入力装置２３、指示装置２４、及び通信装置２５を一体的に備えて構成される。また、デスクトップ型のパーソナルコンピューターのように、表示装置２２、入力装置２３、指示装置２４、通信装置２５の全部又は一部が外付けで接続される構成のコンピューターを用いてもよいし、ＰＤＡ（Personal Digital Assistant）等の携帯型情報機器を用いてもよい。
【００３８】
制御装置２０は、記憶装置２１に記憶されているＯＳ（Operating System）やアプリケーションプログラム等に従って動作し、入力装置２３や指示装置２４を用いてなされるユーザーの指示に応じて様々な処理を行い、処理結果等を表示装置２２に表示させる。ここで、本実施形態の管理装置２に採用されているＯＳは、ＧＵＩ（Graphical User Interface）を備えたものであり、ユーザーは、表示装置２２に表示されるポインター（図示せず）を、指示装置２４を用いて移動させるとともに、クリックやドラッグ等の操作を行うことによって管理装置２に各種指示を与えることもできる。また、本実施形態の記憶装置２１には、プロジェクター１を管理するためのアプリケーションプログラム（管理プログラム）がインストールされており、管理装置２は、制御装置２０がこの管理プログラムに従って動作することにより、プロジェクター１の管理を行う。
【００３９】
図４は、管理プログラムに基づく管理装置２の動作を説明するための説明図であり、管理プログラムが起動した際に表示装置２２に表示される操作画面を示す図である。ユーザーが入力装置２３又は指示装置２４を用いて管理プログラムの起動を指示すると、管理装置２の制御装置２０は、この指示を受け付けて管理プログラムを起動させ、図４に示す操作画面Ｗ１を表示装置２２上に表示させる。
【００４０】
図４に示すように、操作画面Ｗ１は、プログラムのタイトル等が記されたタイトルバーＢ１を備えており、タイトルバーＢ１の下側には、メニューバーＢ２が配置されている。メニューバーＢ２には、「ファイル」や「ヘルプ」等、複数の見出し項目が記されており、ユーザーが入力装置２３又は指示装置２４でいずれかの見出し項目を指定すると、指定された見出し項目に関連する処理項目の一覧が表示される。ユーザーは、入力装置２３又は指示装置２４を操作して、一覧の中からいずれかの処理項目を選択することにより、管理装置２（管理プログラム）に対して所望の処理を行わせることができる。なお、図示は省略しているが、複数のアイコンを含むツールバーを操作画面Ｗ１内に備えるようにしてもよい。この場合には、各アイコンのそれぞれに、メニューバーＢ２により選択可能な処理項目のうちのいずれか１つを関連付けておけば、指示装置２４のクリック動作によりアイコンを選択するだけで処理項目を実行することができる。
【００４１】
また、操作画面Ｗ１には、メニューバーＢ２の下側に、日本地図（地図Ｍ）が表示される地図表示部Ｂ３と、プロジェクター１の一覧（リスト）が表示されるリスト表示部Ｂ４とが配置されている。ただし、図示するように、管理対象のプロジェクター１を登録していない時点では、地図表示部Ｂ３の地図Ｍ上、及びリスト表示部Ｂ４には、何も表示されない。
【００４２】
ユーザーは、メニューバーＢ２等を操作して、管理装置２にプロジェクター１の登録を指示することができる。プロジェクター１の登録には、自動登録と手動登録の２種類があり、ユーザーにより自動登録が指示された場合には、管理装置２は、管理装置２と同一のセグメント内にあるプロジェクター１を自動的に検索して、登録する。
【００４３】
図５は、プロジェクター１を自動登録する際の管理装置２の動作を説明するフローチャートである。また、図６〜図９は、管理プログラムに基づく管理装置２の動作を説明するための説明図であり、図６〜図８は、操作画面を示す図、図９は、操作画面上に重畳表示される状態表示画面を示す図である。ユーザーにより自動登録が指示されると、管理装置２の制御装置２０は、図５に示すフローに従って動作する。
【００４４】
図５に示すように、ステップＳ１０１では、制御装置２０は、通信装置２５からブロードキャストを行って、ＬＡＮ３ａ内のプロジェクター１を検索する。そして、検索された各プロジェクター１に対して、それぞれを識別するためのプロジェクター名及びそれぞれのＩＰアドレス等を含む情報（以降、「機器情報」と呼ぶ。）の返信を要求する。各プロジェクター１は、この要求を受け、管理装置２に自己の機器情報を送信する。
【００４５】
ステップＳ１０２では、制御装置２０は、検索されたプロジェクター１を管理対象として登録する。具体的には、制御装置２０は、各プロジェクター１から返信された機器情報を、管理すべきプロジェクター１の機器情報として記憶装置２１に記憶する。本実施形態では、ＬＡＮ３ａに接続されている２つのプロジェクター１が検索されて登録される。なお、検索されたプロジェクター１をすべて管理対象として登録するようにしてもよいが、検索されたプロジェクター１の中から、管理対象とすべきプロジェクター１をユーザーに選択させるようにしてもよい。
【００４６】
ステップＳ１０３では、制御装置２０は、登録したプロジェクター１に対して、管理装置２のＩＰアドレス等、管理装置２に接続するための情報（以降、「ＰＣ情報」と呼ぶ。）を送信し、プロジェクター１の記憶部１１に記憶させる。
【００４７】
ステップＳ１０４では、制御装置２０は、登録したプロジェクター１に対して、それぞれのＧＰＳ受信部１７で導出した位置情報（緯度及び経度）の送信を要求する。登録された各プロジェクター１は、この要求に応じ、ＰＣ情報に含まれるＩＰアドレスに対して自己の位置情報を送信する。
【００４８】
ステップＳ１０５では、制御装置２０は、プロジェクター１から受信した位置情報を、それぞれの機器情報に対応付けて登録する。そして、ステップＳ１０６では、制御装置２０は、受信した位置情報に基づいて、操作画面Ｗ１の地図表示部Ｂ３の地図Ｍ上にプロジェクター１の設置位置を表示する。具体的には、制御装置２０は、地図表示部Ｂ３の地図Ｍ上において、位置情報に基づく位置に、プロジェクター１の設置位置であることを示すマークＰを重畳して表示させ（図６参照）、フローを終了する。
【００４９】
ここで、登録された複数のプロジェクター１の設置位置が近い場合には、制御装置２０は、ステップＳ１０６で地図Ｍ上にマークＰを表示する際に、これら複数のプロジェクター１を１つのグループとしてまとめ、グループで１つのマークＰを地図Ｍ上に表示するようになっている。このため、拠点ＡのＬＡＮ３ａに接続されている２つのプロジェクター１の設置位置が近い場合には、地図Ｍ上には、拠点Ａのグループを表す１つのマークＰのみが表示される。なお、複数のプロジェクター１を１つのグループにまとめる条件としては、例えば、最寄りのプロジェクター１との距離が所定の距離よりも小さい場合とすることができる。また、この条件（距離等）をユーザーが設定できるようにしてもよい。
【００５０】
一方、ユーザーにより手動登録が指示された場合には、制御装置２０は、図示しない入力画面を操作画面Ｗ１上に重畳して表示し、登録すべきプロジェクター１のプロジェクター名やＩＰアドレスをユーザーに入力させる。ユーザーが入力装置２３等によりＩＰアドレスを入力すると、制御装置２０は、入力されたＩＰアドレスを用いてプロジェクター１を検索し、検索されたプロジェクター１を登録する。そして、これ以降、ステップＳ１０３〜Ｓ１０６（図５参照）を実行して、操作画面Ｗ１の地図表示部Ｂ３を更新する。このように、手動登録を行うことにより、管理装置２とは異なるセグメントにあるプロジェクター１の登録も可能となる。そして、手動登録を繰り返すと、図７に示すように、地図表示部Ｂ３の地図Ｍ上には、複数のマークＰが表示される。なお、手動登録を行う場合にも、既に登録されているプロジェクター１と設置位置が近い場合には、複数のプロジェクター１を１つのグループとしてまとめ、グループで１つのマークＰを地図Ｍ上に表示する。このように、制御装置２０は、位置情報に基づいて各プロジェクター１をグループ分けし、プロジェクター１の設置位置を、地図Ｍ上にグループ単位で表示する。
【００５１】
上述したように、管理対象のプロジェクター１の機器情報は、記憶装置２１に記憶されるため、管理プログラムを起動するたびに上記の登録操作を行う必要はない。つまり、次回以降、管理プログラムを起動した際には、操作画面Ｗ１は、図７に示した状態、即ち地図表示部Ｂ３の地図Ｍ上にマークＰが表示された状態で表示される。
【００５２】
ユーザーは、地図表示部Ｂ３の地図Ｍ上に表示されているマークＰを、指示装置２４でクリックして指定することにより、グループを選択することができる。そして、ユーザーが所望のグループのマークＰをクリックすると、管理装置２の制御装置２０は、選択されたグループに属するプロジェクター１の機器情報の一覧をリスト表示部Ｂ４に表示させる（図８参照）。なお、ユーザーは、複数のグループ（マークＰ）を同時に選択することも可能であり、複数のグループが選択された状態では、選択された複数のグループに属するすべてのプロジェクター１の機器情報の一覧がリスト表示部Ｂ４に表示される。
【００５３】
さらに、ユーザーは、リスト表示部Ｂ４に表示されているプロジェクター１の１つ或いは複数を入力装置２３又は指示装置２４で選択することができる。そして、ユーザーは、プロジェクター１を選択した状態で、メニューバーＢ２等を操作することにより、選択したプロジェクター１に対して様々な指示を行うことができる。
【００５４】
例えば、選択されたプロジェクター１の動作状態を表示させるための指示をユーザーが行った場合には、制御装置２０は、選択されたプロジェクター１に対して、動作状態の応答を要求する。プロジェクター１の制御部１０は、この要求を受け取ると、電源状態（オン又はオフ）、光源の累積点灯時間、異常（例えば、光源の不点灯や、高温異常等）の発生の有無等、プロジェクター１の様々な動作状態を管理装置２に送信する。そして、管理装置２の制御装置２０は、各プロジェクター１から受信した動作状態を一覧にまとめた状態表示画面Ｗ２（図９参照）を、操作画面Ｗ１上に重畳して表示する。
【００５５】
また、例えば、選択されたプロジェクター１に所定の画像を投写させるための指示をユーザーが行った場合には、制御装置２０は、選択されたプロジェクター１に対して、画像情報の供給を開始する。この結果、プロジェクター１は、画像情報に基づく画像の投写を開始する。
【００５６】
プロジェクター１のＧＰＳ受信部１７は、プロジェクター１の起動時、即ち入力操作部１２の電源キーが操作されてプロジェクター１の電源がオンになった際に、位置情報（緯度及び経度）を導出して制御部１０に出力する。制御部１０は、ＧＰＳ受信部１７から入力された位置情報を記憶部１１に記憶しておき、管理装置２から位置情報の送信要求があった場合には、記憶部１１から位置情報を読み出して、管理装置２に送信する。
【００５７】
また、プロジェクター１の制御部１０は、起動時にＧＰＳ受信部１７が導出した位置情報を記憶部１１に記憶する際に、すでに記憶部１１に記憶されている前回の位置情報と比較して両者の差異を検出する。そして、前回と今回の位置情報の間に、測定誤差を超える大きな差異がある場合には、制御部１０は、プロジェクター１が移動されて設置位置が変更になったものと判断する。そして、プロジェクター１の制御部１０は、管理装置２からの送信要求を待たずに、機器情報と位置情報とを管理装置２に送信する。管理装置２の制御装置２０は、プロジェクター１から機器情報及び位置情報が送信されると、登録されている機器情報及び位置情報を更新するとともに、必要に応じて地図Ｍ上の設置位置、即ちマークＰの位置を変更する。
【００５８】
以上説明したように、本実施形態の管理システム１００によれば、以下の効果を得ることができる。
【００５９】
（１）本実施形態の管理システム１００によれば、管理装置２がプロジェクター１の設置位置を表すマークＰを地図Ｍ上に表示させるため、各プロジェクター１の設置位置が視覚的に把握しやすくなり、所望のプロジェクター１を探し出すことが容易になる。
【００６０】
（２）本実施形態の管理システム１００によれば、管理装置２は、複数のプロジェクター１を位置情報に基づいてグループ分けするとともに、プロジェクター１の設置位置を地図Ｍ上にグループ単位で表示するため、地図Ｍ上の狭い範囲内に多数のプロジェクター１の設置位置が表示されてしまうことが抑制され、所望のプロジェクター１を探し出すことが一層容易になる。
【００６１】
（３）本実施形態の管理システム１００によれば、プロジェクター１は、起動時に設置位置の変更を検出すると、管理装置２からの送信要求を待たずに、機器情報と位置情報とを管理装置２に送信する。そして、管理装置２は、プロジェクター１から機器情報及び位置情報が送信されると、必要に応じて地図Ｍ上のマークＰの位置を変更する。つまり、設置位置を変更する際に、ユーザーが地図Ｍを更新する手続きを行う必要がないため、利便性が向上する。
【００６２】
（４）本実施形態の管理システム１００によれば、プロジェクター１は、ＧＰＳ衛星から送信される電波を受信して自己の位置を導出するＧＰＳ受信部１７を備えているため、自己の設置位置の特定を容易に行うことが可能となる。
【００６３】
なお、本実施形態において、設置位置を表すマークＰを指定してグループ（プロジェクター１）を選択する際の指示装置２４が指定手段に相当する。また、起動時にＧＰＳ受信部１７が導出した位置情報と、記憶部１１に記憶されている前回の位置情報とを比較して、前回と今回の位置情報の間の差異を検出する際の制御部１０及びＧＰＳ受信部１７が移動検出部に相当する。
【００６４】
（変形例）
上記実施形態は、以下のように変更してもよい。
【００６５】
上記実施形態では、コンピューター等で構成される管理装置２を用いてプロジェクター１の管理を行っているが、ネットワーク３に接続されているプロジェクター１のいずれかを、管理装置として機能させるようにしてもよい。この場合には、管理装置として機能するプロジェクター１は、地図Ｍを表示する表示装置や、地図Ｍ上のマークＰを指示するための指示装置等を備える必要がある。
【００６６】
上記実施形態では、管理装置２を１つのみ備えた構成を示しているが、管理装置２は１つに限定されない。例えば、各拠点Ａ〜ＦのＬＡＮ３ａ〜３ｆ上に管理装置２を１つずつ配置して、拠点Ａ〜Ｆ毎にプロジェクター１の管理を行うようにしてもよい。そして、管理装置２同士で通信を行うことにより、１つの管理装置２が他の管理装置２から各プロジェクター１の機器情報や位置情報を収集するようにしてもよいし、それぞれの管理装置２が各プロジェクター１の機器情報や位置情報を共有するようにしてもよい。
【００６７】
上記実施形態では、プロジェクター１がＧＰＳ受信部１７を備えており、ＧＰＳ受信部１７がプロジェクター１の位置を導出するようにしているが、ユーザーにプロジェクター１の設置位置（緯度及び経度）を入力させて、これを記憶部１１に記憶させておく態様としてもよい。
【００６８】
上記実施形態では、プロジェクター１の設置位置を表示するための地図Ｍとして、日本地図を用いているが、プロジェクター１が設置されている範囲が狭い場合には、都道府県レベルや市町村レベル、或いはそれよりも狭い範囲の地図を用いてもよい。一方、海外に配置されているプロジェクター１を管理する場合には、世界地図を用いるようにしてもよい。
【００６９】
上記実施形態では、複数のＬＡＮ３ａ〜３ｆが公衆ネットワーク３ｐを介して接続されているが、複数のＬＡＮ３ａ〜３ｆを専用回線で接続する態様としてもよい。
【００７０】
上記実施形態において、ＬＡＮ３ａ〜３ｆの接続は、無線であっても有線であってもよい。
【符号の説明】
【００７１】
１…プロジェクター、２…管理装置、３…ネットワーク、３ａ〜３ｆ…ＬＡＮ、３ｐ…公衆ネットワーク、１０…制御部、１１…記憶部、１２…入力操作部、１３…通信部、１４…画像入力部、１５…画像処理部、１６…画像投写部、１７…ＧＰＳ受信部、２０…制御装置、２１…記憶装置、２２…表示装置、２３…入力装置、２４…指示装置、２５…通信装置、１００…管理システム、Ｗ１…操作画面、Ｗ２…状態表示画面、Ｂ１…タイトルバー、Ｂ２…メニューバー、Ｂ３…地図表示部、Ｂ４…リスト表示部、Ｍ…地図、Ｐ…マーク。
【図１】
2012015832.tif 000003
【図２】
2012015832.tif 000004
【図３】
2012015832.tif 000005
【図４】
2012015832.tif 000006
【図５】
2012015832.tif 000007
【図６】
2012015832.tif 000008
【図７】
2012015832.tif 000009
【図８】
2012015832.tif 000010
【図９】
2012015832.tif 000011